(57)【要約】      （修正有）【課題】上レール及びこれにガイドされる部材の戸厚方向に沿う寸法のコンパクト化を図り得る引戸装置を提供する。【解決手段】引戸装置１は、引戸パネル１０と、この引戸パネル１０の戸先側端部の上端部に設けられた戸先側被ガイド部材１１と、この戸先側被ガイド部材１１の上方側に位置するように戸尻側端部の上端部に設けられた戸尻側被ガイド部材１５と、壁面３ａと平行状にガイドする直線部２２及び戸先側部位において壁面３ａに対して交差するように斜め戸厚方向にガイドする斜行部２３が設けられた下段レール部２１と、この下段レール部２１の直線部２２の少なくとも一部の上方側に積み重ねられるように設けられ、壁面３ａと平行状にガイドする直線部３２及び戸尻側部位において壁面３ａに対して交差するように斜め戸厚方向にガイドする斜行部３３が設けられた上段レール部３１と、を備えている。【選択図】図１
2020105831.tif 000002
【特許請求の範囲】
【請求項１】
引戸パネルと、この引戸パネルの戸先側端部の上端部に設けられた戸先側被ガイド部材と、この戸先側被ガイド部材の被ガイド部よりも被ガイド部が上方側に位置するように、前記引戸パネルの戸尻側端部の上端部に設けられた戸尻側被ガイド部材と、前記戸先側被ガイド部材の被ガイド部を壁面と平行状にガイドする直線部及び前記引戸パネルに開閉される出入口の戸先側部位において前記壁面に対して交差するように斜め戸厚方向にガイドする斜行部が設けられた下段レール部と、この下段レール部の直線部の少なくとも一部の上方側に積み重ねられるように設けられ、前記戸尻側被ガイド部材の被ガイド部を前記壁面と平行状にガイドする直線部及び前記出入口の戸尻側部位において前記壁面に対して交差するように斜め戸厚方向にガイドする斜行部が設けられた上段レール部と、を備えていることを特徴とする引戸装置。
【請求項２】
請求項１において、
前記戸先側被ガイド部材及び前記戸尻側被ガイド部材は、前記引戸パネルの上端面から上方側に向けて突出するように設けられていることを特徴とする引戸装置。
【請求項３】
請求項１または２において、
前記下段レール部の直線部は、前記上段レール部の直線部の全長に亘ってその下方側に位置するように設けられていることを特徴とする引戸装置。
【請求項４】
請求項１乃至３のいずれか１項において、
前記上段レール部及び前記下段レール部には、下方側に向けて開口するガイド溝の溝幅方向両側を区画する両側の側壁部と、これら両側の側壁部の下端部から互いに向き合う方向に突出する案内片部と、が設けられており、
前記戸先側被ガイド部材及び前記戸尻側被ガイド部材の被ガイド部は、前記引戸パネルに対して上下方向に沿う軸回りに回転自在に保持されたランナー本体と、前記ガイド溝の溝幅方向両側の案内片部上をそれぞれに走行するように、該ランナー本体の溝幅方向両側のそれぞれにおいて溝幅方向に沿う軸回りに回転自在に設けられた一対の転動体と、を備えていることを特徴とする引戸装置。
【請求項５】
請求項４において、
前記下段レール部の前記壁面側の側壁部及び案内片部には、前記引戸パネルの開閉方向への移動を伴って前記下段レール部の両側の案内片部間と前記上段レール部の斜行部の両側の案内片部間とを移動する前記戸尻側被ガイド部材の前記ランナー本体を支持する支持部を通過させる開口が設けられ、前記下段レール部には、前記戸尻側被ガイド部材の支持部の通過を可能とする前記開口を開放させる開放位置と、前記戸先側被ガイド部材の前記転動体の走行を可能とする前記開口を覆う閉鎖位置と、にスライド自在とされたスライド体が設けられていることを特徴とする引戸装置。
【請求項６】
請求項５において、
前記スライド体は、前記戸先側被ガイド部材の戸先側への移動に連動して前記閉鎖位置から前記開放位置にスライドされる一方、前記戸先側被ガイド部材の戸尻側への移動に連動して前記開放位置から前記閉鎖位置にスライドされることを特徴とする引戸装置。
【発明の詳細な説明】
【技術分野】
【０００１】
本発明は、出入口を開閉する引戸パネルを備えた引戸装置に関する。
【背景技術】
【０００２】
従来より、壁面に対してアウトセット状に配されて開閉自在とされる引戸パネルを備えた引戸装置や戸袋納めとされる引戸パネルを備えた引戸装置が知られている。このような引戸装置では、閉鎖位置において引戸パネルと壁面との間に戸厚や戸袋を区画する一方の戸袋壁の壁厚に応じた段差が形成され、該段差が目立ち易くなる傾向があった。
例えば、下記特許文献１には、引戸の上部に引戸の幅方向に間隔を空けてブラケットを介してローラユニットを設け、これらローラユニットのそれぞれを案内し、天井部に平行に並べられる二本の案内レールを備えた引戸具が開示されている。また、この引戸具は、二本の案内レールのそれぞれに直線状に伸びる直線レールと直線レールに対して斜め方向に伸びる引込みレールとを設けた構成とされ、閉じた状態の引戸の表面と壁面とをフラットにできる構成とされている。
【先行技術文献】
【特許文献】
【０００３】
【特許文献１】特許第４８１８３６２号公報
【発明の概要】
【発明が解決しようとする課題】
【０００４】
しかしながら、上記特許文献１に記載された引戸具では、二本の案内レールが戸厚方向に並列状に設けられるため、これらが壁面から室内側に大きく突出し、また、引戸の戸先側のブラケットを戸尻側よりも大きく突出させる必要があり、更なる改善が望まれる。
【０００５】
本発明は、上記実情に鑑みてなされたものであり、閉鎖位置における引戸パネルと壁面との段差を小さくすることが可能でありながらも、上レール及びこれにガイドされる部材の戸厚方向に沿う寸法のコンパクト化を図り得る引戸装置を提供することを目的としている。
【課題を解決するための手段】
【０００６】
前記目的を達成するために、本発明に係る引戸装置は、引戸パネルと、この引戸パネルの戸先側端部の上端部に設けられた戸先側被ガイド部材と、この戸先側被ガイド部材の被ガイド部よりも被ガイド部が上方側に位置するように、前記引戸パネルの戸尻側端部の上端部に設けられた戸尻側被ガイド部材と、前記戸先側被ガイド部材の被ガイド部を壁面と平行状にガイドする直線部及び前記引戸パネルに開閉される出入口の戸先側部位において前記壁面に対して交差するように斜め戸厚方向にガイドする斜行部が設けられた下段レール部と、この下段レール部の直線部の少なくとも一部の上方側に積み重ねられるように設けられ、前記戸尻側被ガイド部材の被ガイド部を前記壁面と平行状にガイドする直線部及び前記出入口の戸尻側部位において前記壁面に対して交差するように斜め戸厚方向にガイドする斜行部が設けられた上段レール部と、を備えていることを特徴とする。
【発明の効果】
【０００７】
本発明に係る引戸装置は、上述のような構成としたことで、閉鎖位置における引戸パネルと壁面との段差を小さくすることが可能でありながらも、上レール及びこれにガイドされる部材の戸厚方向に沿う寸法のコンパクト化を図ることができる。
【図面の簡単な説明】
【０００８】
【図１】（ａ）〜（ｃ）は、本発明の一実施形態に係る引戸装置の一例を模式的に示す一部破断概略横断面図である。
【図２】同引戸装置の一部破断概略分解斜視図である。
【図３】図２におけるＺ部に対応させた一部破断概略分解斜視図である。
【図４】同引戸装置の概略側面図である。
【図５】（ａ）は、図４におけるＸ１−Ｘ１線矢視に対応させた一部破断概略横断面図、（ｂ）は、図４におけるＸ２−Ｘ２線矢視に対応させた一部破断概略横断面図、（ｃ）は、（ｂ）におけるＹ−Ｙ線矢視に対応させた一部破断概略縦断面図である。
【図６】（ａ）、（ｂ）は、図５（ｂ）に対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る引戸装置を施工した状態を基準として上下方向等の方向を説明する。
【００１０】
図１〜図６は、本実施形態に係る引戸装置の一例を模式的に示す図である。
本実施形態に係る引戸装置１は、図１（ａ）〜（ｃ）及び図４に示すように、壁体３に設けられた出入口６を開閉する引戸パネル１０と、この引戸パネル１０の上端側をガイドする上レール２０と、を備えている。
壁体３は、住居等の建物内を区画する間仕切壁であってもよく、どのような壁でもよい。図１（ａ）に示すように、この壁体３の壁厚方向一方側の壁面３ａに沿うように全開位置の引戸パネル１０が配される。なお、この壁体３の全開位置の引戸パネル１０が沿わせられる壁面３ａに対面した状態を基準として手前側を前方として前後方向を説明する場合がある。また、引戸装置１は、この壁体３の手前側空間が廊下等の比較的に小さい空間に配設されるものでもよく、種々の箇所に設置されるものでもよい。
【００１１】
出入口６は、壁体３を貫通するように設けられている。この出入口６は、床２から図示省略の略天井に至るまでの開口高とされたものでもよく、上側が垂れ壁によって区画されたものでもよい。また、図例では、出入口６の開口幅方向両側を、開口枠を構成する縦枠４，５によって区画した例を示している。図１（ｃ）に示すように、閉鎖位置の引戸パネル１０の戸先側端部が近接される戸先側縦枠４の見込方向一方側（前方側）端部に、引戸パネル１０の戸先側端部を受け入れる切欠状の凹所を設けた例を示している。また、閉鎖位置の引戸パネル１０の戸尻側端部が近接される戸尻側縦枠５の見込方向一方側（前方側）端部に、斜め前方側に向く傾斜面を設けた例を示している。なお、出入口６及びこれを区画する開口枠を構成する縦枠４，５としては、上記のような態様に限られず、その他、種々の態様とされたものでもよい。また、図例では、片引き状に配される一枚の引戸パネル１０によって出入口６を開閉する態様とした例を示しているが、引き分け状に配される二枚の引戸パネル１０によって出入口６を開閉する態様等としてもよい。この場合は、二枚の引戸パネル１０のそれぞれをガイドする後記する上レール２０を設けた構成等としてもよい。
【００１２】
引戸パネル１０は、上下方向に長尺な略矩形平板状とされている。この引戸パネル１０の戸高寸法及び戸幅寸法は、出入口６の閉鎖が可能なように適宜の寸法とされている。また、この引戸パネル１０の戸先側端部の戸厚方向両側には、適宜の手掛部が設けられている。また、この引戸パネル１０の戸尻側端面は、閉鎖位置において戸尻側縦枠５の傾斜面に近接対面するように、斜め後方側に向く傾斜面とされている（図６（ｂ）も参照）。
この引戸パネル１０の戸先側端部の上端部には、戸先側被ガイド部材１１が設けられ、引戸パネル１０の戸尻側端部の上端部には、戸尻側被ガイド部材１５が設けられている。戸尻側被ガイド部材１５の被ガイド部を構成するランナー本体１６は、戸先側被ガイド部材１１の被ガイド部を構成するランナー本体１２よりも上方側に位置するように設けられている（図２参照）。
【００１３】
また、上レール２０は、戸先側被ガイド部材１１のランナー本体１２を壁面３ａと平行状にガイドする直線部２２及び出入口６の戸先側部位において壁面３ａに対して交差するように斜め戸厚方向にガイドする斜行部２３が設けられた下段レール部２１を備えている。また、上レール２０は、この下段レール部２１の直線部２２の少なくとも一部の上方側に積み重ねられるように設けられた上段レール部３１を備えている。上段レール部３１には、戸尻側被ガイド部材１５のランナー本体１６を壁面３ａと平行状にガイドする直線部３２及び出入口６の戸尻側部位において壁面３ａに対して交差するように斜め戸厚方向にガイドする斜行部３３が設けられている。
【００１４】
上記のような構成とすれば、上レール２０の直線部２２，３２によって引戸パネル１０を壁面３ａに沿わせて平行状にガイドすることができる。また、出入口６を閉鎖する閉鎖位置では、図１（ｃ）及び図６（ｂ）に示すように、上レール２０の斜行部２３，３３によって引戸パネル１０の戸厚方向の少なくとも一部を戸厚方向で壁面３ａよりも出入口６内に配置することができる。これにより、引戸パネル１０をアウトセット状に設けたものや戸袋納めとしたものと比べて、閉鎖位置において形成される引戸パネル１０の戸厚方向一方側面（前面）と壁面３ａとの段差を小さくすることができる。この結果、引戸パネル１０を閉鎖位置とすれば、開放位置で引戸パネル１０が沿わせられる壁面３ａによって区画される廊下等の空間が引戸パネル１０によって狭められるようなことを抑制することができる。
【００１５】
また、下段レール部２１の直線部２２の少なくとも一部の上方側に積み重ねるように上段レール部３１を設けた構成としている。このような構成とすれば、二本の案内レールを戸厚方向に並列状に設けたようなものと比べて、上レール２０の戸厚方向に沿う寸法のコンパクト化を図ることができる。また、引戸パネルの戸先側のブラケットを戸尻側よりも大きく突出させる必要があるようなものと比べて、引戸パネル１０の上端部の戸先側被ガイド部材１１及び戸尻側被ガイド部材１５の戸厚方向に沿う寸法のコンパクト化を図ることができる。また、例えば、戸先側被ガイド部材をガイドするレールと戸尻側被ガイド部材をガイドするレールとを戸幅方向に直列状にかつ別体的に設けたものと比べて、引戸パネル１０の戸幅方向への可動範囲及び出入口６の有効開口幅を効果的に大きくすることができる。
また、本実施形態では、引戸パネル１０は、上レール２０によって吊下支持される構成とされている。なお、上レール２０の具体的構成については後述する。
【００１６】
引戸パネル１０の下端部には、図４に示すように、当該引戸パネル１０の下端側をガイドする下端ガイド部材７の柱状部９が差し入れられる被ガイド溝１９が設けられている。この被ガイド溝１９は、引戸パネル１０の下端面において下方側に向けて開口するように設けられている。また、この被ガイド溝１９は、引戸パネル１０の下端部に直接的に設けられたものでもよいが、図例では、引戸パネル１０の下端部に設けられた取付凹所に取り付けられた溝部材に設けられたものとしている。また、この被ガイド溝１９には、引戸パネル１０が壁面３ａと平行状に移動する際に柱状部９が挿入される戸幅方向に延びる直線被ガイド溝と斜め戸厚方向に移動する際に柱状部９が挿入される斜め戸厚方向に延びる斜行被ガイド溝とが設けられたものでもよい。また、例えば、斜行被ガイド溝を、引戸パネル１０の戸厚内に設けた態様に代えて、引戸パネル１０の下端部の戸厚方向一方側面に付設状に設けられた被ガイド部材に設けた構成等としてもよい。
【００１７】
下端ガイド部材７は、本実施形態では、床２側に埋込状に配されるケーシング８に対して上下動自在に被吸引部９ａを有した柱状部９が保持されたいわゆるマグネットガイドとされている。この下端ガイド部材７の柱状部９は、本実施形態では、円柱状とされ、外筒に対して二段階伸縮構造とされた伸縮ピンの内筒とされている。また、この柱状部９には、引戸パネル１０の被ガイド溝１９に設けられた吸引部１９ａに吸引される被吸引部９ａを構成する磁石が埋込状に設けられている。なお、被ガイド溝１９の吸引部１９ａは、磁石でもよく、鉄板等の強磁性体等でもよい。
また、この下端ガイド部材７は、後記する上レール２０によってガイドされる引戸パネル１０の移動軌跡に沿って間隔を空けて複数箇所に設けられる。この下端ガイド部材７は、引戸パネル１０が移動する際に、少なくとも一つの柱状部９が引戸パネル１０の被ガイド溝１９に挿入されるように適宜の位置に設けられるものでもよい。また、壁面３ａと平行状に移動する引戸パネル１０の直線被ガイド溝に柱状部９が挿入される下端ガイド部材７と、斜め戸厚方向に移動する引戸パネル１０の斜行被ガイド溝に柱状部９が挿入される下端ガイド部材７と、を適宜の位置に設けた構成等としてもよい。
【００１８】
戸先側被ガイド部材１１及び戸尻側被ガイド部材１５は、図２及び図４に示すように、本実施形態では、引戸パネル１０の上端面から上方側に向けて突出するように設けられている。このような構成とすれば、戸先側被ガイド部材１１及び戸尻側被ガイド部材１５を、引戸パネル１０の戸厚方向一方側（前方側）に付設状に設けたものと比べて、引戸パネル１０の戸厚方向一方側面（前面）をすっきりとした外観にすることができ、見栄えを向上させることができる。また、これら戸先側被ガイド部材１１及び戸尻側被ガイド部材１５を、戸厚方向で概ね引戸パネル１０の戸厚内に納まるように設けた構成としている。図例では、戸先側被ガイド部材１１及び戸尻側被ガイド部材１５の戸厚方向に沿う寸法を引戸パネル１０の戸厚よりも僅かに大とした例を示している。これら戸先側被ガイド部材１１及び戸尻側被ガイド部材１５の戸厚方向に沿う寸法は、引戸パネル１０の戸厚の１．５倍以下の寸法としてもよい。
【００１９】
また、戸先側被ガイド部材１１及び戸尻側被ガイド部材１５には、図２に示すように、引戸パネル１０の上端部の戸幅方向両側に設けられた取付凹所に取り付けられる取付部が設けられている。戸先側被ガイド部材１１及び戸尻側被ガイド部材１５のランナー本体１２，１６は、各取付部から上方側に向けて突出するように設けられた支持部１１ａ，１５ａに支持されている。各ランナー本体１２，１６は、引戸パネル１０に対して上下方向に沿う軸回りに回転自在に保持されている。これらランナー本体１２，１６は、軸状とされた支持部１１ａ，１５ａに対して回転自在に保持されたものでもよく、または、取付部に対して回転自在とされた支持部１１ａ，１５ａに対して固定的に設けられたものでもよい。これら支持部１１ａ，１５ａは、引戸パネル１０の戸厚方向略中心部に位置するように設けられている。
また、本実施形態では、図４及び図５（ｃ）に示すように、戸尻側被ガイド部材１５の支持部１５ａの上下方向に沿う長さ寸法を、戸先側被ガイド部材１１の支持部１１ａの上下方向に沿う長さ寸法よりも大としている。
【００２０】
これら戸先側被ガイド部材１１及び戸尻側被ガイド部材１５の各ランナー本体１２，１６は、互いに概ね同様の構成とされている。本実施形態では、各ランナー本体１２，１６に、上レール２０の後記する走行対象上を走行自在とされ、上レール２０のガイド溝２４，３４の溝幅方向に沿う軸回りに回転自在とされた転動体１３，１７を設けた構成としている。また、各ランナー本体１２，１６の溝幅方向両側のそれぞれにおいて溝幅方向に沿う軸回りに回転自在とされた一対の転動体１３，１３，１７，１７を設けた構成としている。溝幅方向一方側の転動体１３，１７と溝幅方向他方側の転動体１３，１７とは、戸厚方向で戸厚方向中心部から等間隔を空けて、かつ互いに略同軸状に設けられている。また、戸先側被ガイド部材１１の各転動体１３，１３と戸尻側被ガイド部材１５の各転動体１７，１７とは、互いに同寸同形状とされている。
【００２１】
また、各ランナー本体１２，１６の下面側に、上下方向に沿う軸回りに回転自在とされた被ガイドローラー１４，１８を設けた構成としている。被ガイドローラー１４，１８は、図４に示すように、溝長手方向に見て、一対の転動体１３，１３，１７，１７間の直下に位置するように設けられている。つまり、被ガイドローラー１４，１８は、戸厚方向で戸厚方向略中心部に位置するように設けられている。
本実施形態では、各ランナー本体１２，１６の下面側に、支持部１１ａ，１５ａから溝長手方向に等間隔を空けて一対の被ガイドローラー１４，１４，１８，１８を設けた構成としている（図５（ｃ）参照）。これら被ガイドローラー１４，１４，１８，１８は、互いに同寸同形状とされている。上記した戸尻側被ガイド部材１５の支持部１５ａは、被ガイドローラー１８，１８が戸先側被ガイド部材１１よりも上方側に位置するように戸先側被ガイド部材１１の支持部１１ａよりも長さが大とされている。
【００２２】
上レール２０は、概ね戸幅方向に沿うように長尺状とされている。本実施形態では、図２及び図５（ａ）、（ｂ）に示すように、下段レール部２１の直線部２２を、上段レール部３１の直線部３２の全長に亘ってその下方側に位置するように設けた構成としている。例えば、下段レール部２１の直線部２２の戸尻側部位と上段レール部３１の直線部３２の戸先側部位とのみを上下に積み重ねた構成とすれば、上レール２０の直線部の下面側において段差が目立ち易くなる。本実施形態によれば、このような段差が上レール２０の下面側に形成されることがなく見栄えを向上させることができる。
また、本実施形態では、図４に示すように、下段レール部２１及び上段レール部３１に、下方側に向けて開口するガイド溝２４，３４の溝幅方向両側を区画する両側の側壁部２５，２５，３５，３５を設けた構成としている。また、下段レール部２１及び上段レール部３１に、両側の側壁部２５，２５，３５，３５の下端部から互いに向き合う方向に突出する案内片部２６，２６，３６，３６を設けた構成としている。
【００２３】
上記した引戸パネル１０の戸先側被ガイド部材１１及び戸尻側被ガイド部材１５の転動体１３，１３，１７，１７は、各ガイド溝２４，３４の溝幅方向両側の案内片部２６，２６，３６，３６上をそれぞれに走行する構成とされている。このような構成とすれば、引戸パネル１０を下段レール部２１及び上段レール部３１に対して吊下支持させて上吊型でスライドさせることができる。これにより、本実施形態のように床レール等を床２側に設けない構成とできる。また、これら転動体１３，１３，１７，１７が設けられたランナー本体１２，１６を引戸パネル１０に対して上下方向に沿う軸回りに回転自在に保持させているので、上レール２０の直線部２２，３２と斜行部２３，３３とを円滑に方向転換しながら走行させることができる。また、溝幅方向両側に転動体１３，１３，１７，１７を設けた構成としているので、例えば、片輪滑車状の転動体を設けたものと比べて引戸パネル１０を安定的にスライドさせることができる。
【００２４】
下段レール部２１の直線部２２と上段レール部３１の直線部３２とは、図１に示すように、壁厚方向で壁体３の一方側（手前側）の壁面３ａに沿うように、かつ平行状に配される構成とされている。また、下段レール部２１の直線部２２と上段レール部３１の直線部３２とは、図４及び図５（ａ）、（ｂ）に示すように、戸厚方向（各ガイド溝２４，３４の溝幅方向）で一致する位置となるように設けられている。また、これら下段レール部２１の直線部２２及び上段レール部３１の直線部３２の溝幅方向に沿う寸法は、互いに略同寸法とされている。本実施形態では、下段レール部２１の直線部２２及び上段レール部３１の直線部３２を、溝長手方向に見て互いに概ね同寸同形状とした構成としている。
上段レール部３１の直線部３２の戸先側端部には、斜行部３３が連なるように設けられている。下段レール部２１の直線部２２の戸先側端部には、斜行部２３が連なるように設けられている。本実施形態では、図２に示すように、上段レール部３１の直線部３２と下段レール部２１の直線部２２とを一体的に形成し、別体とされた斜行部２３，３３を含む部材が接合される構成とされている。
【００２５】
上段レール部３１の直線部３２には、底壁部３０、両側の側壁部３５，３５及び案内片部３６，３６が設けられている。この直線部３２における、下段レール部２１の直線部２２の長手方向途中部位において戸先側に向けて開口する部位に斜行部３３を含む部材が接合されて上段レール部３１が構成されている。
また、この上段レール部３１の直線部３２の案内片部３６，３６は、下段レール部２１のガイド溝２４の溝底（上方）側を区画する底壁部としても機能する。つまり、戸尻側被ガイド部材１５の支持部１５ａは、下段レール部２１の底壁部を貫通するように配される。
上段レール部３１の斜行部３３は、直線部３２の戸先側端部から斜め後方側となる両縦枠４，５の見込面によって構成される出入口６の開口幅方向両内側面間に向けて延びるように設けられている。この斜行部３３にも直線部３２と同様、底壁部３０、両側の側壁部３５，３５及び案内片部３６，３６が設けられている。また、両側の側壁部３５，３５及び案内片部３６，３６は、直線部３２と斜行部３３との境界部（コーナー部）において平面視して円弧状となるように形成されている。
【００２６】
この上段レール部３１の案内片部３６，３６の互いに向き合う両側の側面が戸尻側被ガイド部材１５の被ガイドローラー１８，１８をガイドするガイド側面を構成する。このような構成とすれば、戸尻側被ガイド部材１５の転動体１７，１７を直線部３２及び斜行部３３に沿って円滑にガイドすることができる。また、本実施形態では、上記のように溝長手方向に間隔を空けて一対の被ガイドローラー１８，１８を設けた構成としているので、直線部３２における直進性を向上させることができ、また、コーナー部において円滑に方向転換させることができる。これら案内片部３６，３６間の寸法は、被ガイドローラー１８，１８の外径に応じた寸法とされている。
【００２７】
下段レール部２１は、直線部２２における戸先側に向けて開口する部位に斜行部２３を含む部材が接合されて構成されている。この下段レール部２１の直線部２２における上方側に上段レール部３１の直線部３２が設けられてない部位には、ガイド溝２４の溝底（上方）側を区画する底壁部３６Ａが設けられている。
下段レール部２１の斜行部２３は、上記と概ね同様、直線部２２の戸先側端部から斜め後方側となる両縦枠４，５の見込面によって構成される出入口６の開口幅方向両内側面間に向けて延びるように設けられている。この斜行部２３にも直線部２２と同様、底壁部３６Ａ、両側の側壁部２５，２５及び案内片部２６，２６が設けられている。また、両側の側壁部２５，２５及び案内片部２６，２６は、上段側と同様、直線部２２と斜行部２３との境界部（コーナー部）において平面視して円弧状となるように形成されている。
【００２８】
この下段レール部２１の案内片部２６，２６の互いに向き合う両側の側面が、上記同様、戸先側被ガイド部材１１の被ガイドローラー１４，１４をガイドするガイド側面を構成する。このような構成とすれば、上記同様、戸先側被ガイド部材１１の転動体１３，１３を直線部２２及び斜行部２３に沿って円滑にガイドすることができる。また、本実施形態では、上記のように溝長手方向に間隔を空けて一対の被ガイドローラー１４，１４を設けた構成としているので、直線部２２における直進性を向上させることができ、また、コーナー部において円滑に方向転換させることができる。これら案内片部２６，２６間の寸法は、上記同様、被ガイドローラー１４，１４の外径に応じた寸法とされている。
また、下段レール部２１及び上段レール部３１の斜行部２３，３３は、図５（ａ）、（ｂ）に示すように、互いに平行状に設けられている。これら下段レール部２１及び上段レール部３１の斜行部２３，３３の先端部に各ランナー本体１２，１６が位置した状態が引戸パネル１０の閉鎖位置とされる（図１（ｃ）及び図６（ｂ）参照）。
【００２９】
また、本実施形態では、図３及び図５（ｃ）に示すように、下段レール部２１の壁面３ａ側の側壁部２５及び案内片部２６に、開口２５ａ，２６ｂを設けた構成としている。開口２５ａ，２６ｂは、引戸パネル１０の開閉方向への移動を伴って下段レール部２１の両側の案内片部２６，２６間と上段レール部３１の斜行部３３の両側の案内片部３６，３６間とを移動する戸尻側被ガイド部材１５の支持部１５ａを通過させる構成とされている。このような構成とすれば、例えば、このような開口２５ａ，２６ｂを設けずに、下段レール部２１の壁面３ａ側の側壁部２５及び案内片部２６に干渉させないように支持部１５ａを屈曲状としたものと比べて、支持部１５ａの構造の簡略化を図ることができる。また、これにより、引戸パネル１０を吊下支持する支持部１５ａの経年劣化や強度低下を効果的に抑制することができる。
【００３０】
また、本実施形態では、下段レール部２１に、開口２５ａ，２６ｂを開放させる開放位置と開口２６ｂを覆う閉鎖位置とにスライド自在とされたスライド体２９を設けた構成としている。また、スライド体２９が開放位置では、戸尻側被ガイド部材１５の支持部１５ａの通過が可能とされ、スライド体２９が閉鎖位置では、戸先側被ガイド部材１１の転動体１３の走行が可能とされている。このような構成とすれば、案内片部２６の開口２６ｂを跨ぐように転動体１３が通過する構成としたものと比べて、がたつきや異音の発生を軽減することができる。
また、本実施形態では、スライド体２９は、戸先側被ガイド部材１１の戸先側への移動に連動して閉鎖位置から開放位置にスライドされる一方、戸先側被ガイド部材１１の戸尻側への移動に連動して開放位置から閉鎖位置にスライドされる構成とされている。このような構成とすれば、例えば、引戸パネル１０を開閉させる際に手操作でスライド体２９をスライドさせる必要があるものと比べて、使い勝手を向上させることができる。
【００３１】
下段レール部２１の壁面３ａ側の案内片部２６の開口２６ｂは、戸尻側被ガイド部材１５の支持部１５ａの通過が可能なように設けられている。この開口２６ｂは、図３及び図６（ｂ）に示すように、壁面３ａ側の案内片部２６の溝長手方向（下段レール部２１長手方向）途中部位を欠落させるように設けられている。図例では、この案内片部２６の開口２６ｂの溝長手方向両側を区画する開口縁を、互いに平行状にかつ溝幅方向に対して傾斜状とした例を示している。
また、下段レール部２１の底壁部３６Ａにも支持部１５ａを通過させる開口３６ａが設けられている。この開口３６ａは、上段レール部３１の両案内片部３６，３６間の隙間に連通するように設けられ、底壁部３６Ａの壁面３ａ側部位の溝長手方向途中部位を欠落させるように設けられている。これら案内片部２６及び底壁部３６Ａの開口２６ｂ，３６ａは、上段レール部３１の斜行部３３に応じた位置となるように設けられている。また、これら案内片部２６及び底壁部３６Ａの開口２６ｂ，３６ａは、上段レール部３１の斜行部３３の案内片部３６，３６間の隙間と平面視して重なり合う位置となるように設けられている。
【００３２】
下段レール部２１の壁面３ａ側の側壁部２５の開口２５ａは、底壁部３６Ａ及び案内片部２６の開口３６ａ，２６ｂに連通するように設けられている。この側壁部２５の開口２５ａは、底壁部３６Ａ及び案内片部２６の開口３６ａ，２６ｂよりも溝長手方向に長尺状とされている。この開口２５ａの溝長手方向に沿う寸法は、閉鎖位置と開放位置とを同方向に移動するスライド体２９の可動範囲に応じた寸法とされている。
スライド体２９は、この側壁部２５の開口２５ａの一部を覆うように配される側片部２９ａと、案内片部２６の開口２６ｂを覆うように配される下片部２９ｂと、を備えている。
スライド体２９の側片部２９ａは、側壁部２５の厚さ方向に厚さ方向を沿わせて配される略板状とされている。この側片部２９ａは、側壁部２５の開口２５ａ内に位置するように、かつガイド溝２４内側に向く内面が側壁部２５の内面と略同一平面状となるように配される構成とされている。
【００３３】
スライド体２９の下片部２９ｂは、側片部２９ａの下端部から溝幅方向中心側に向けて突出するように設けられ、案内片部２６の厚さ方向に厚さ方向を沿わせて配される略板状とされている。この下片部２９ｂは、スライド体２９が閉鎖位置では、案内片部２６の開口２６ｂを覆うように、かつ開口２６ｂの溝長手方向両側の案内片部２６に架け渡されるように配される構成とされている。
また、本実施形態では、壁面３ａ側の案内片部２６に、スライド体２９の下片部２９ｂを受け入れる凹段部２６ａを設けた構成としている。このような構成とすれば、壁面３ａ側の案内片部２６とスライド体２９の下片部２９ｂとの段差を小さくすることができ、これらの上を走行する転動体１３のがたつきを軽減することができる。本実施形態では、この凹段部２６ａを、壁面３ａ側の案内片部２６の上面（凹段部２６ａを設けていない部位の上面）とスライド体２９の下片部２９ｂの上面とが略同一平面状となるように設けた構成としている。つまり、凹段部２６ａの上下方向に沿う段差寸法とスライド体２９の下片部２９ｂの厚さ寸法とを略同寸法としている。また、この凹段部２６ａは、案内片部２６の開口２６ｂの溝長手方向両側の案内片部２６の上面側部位を切り欠くように設けられている。この凹段部２６ａの段壁面が戸先側及び戸尻側のそれぞれに移動するスライド体２９のストッパーとして機能する構成としてもよい。
【００３４】
また、本実施形態では、スライド体２９及び戸先側被ガイド部材１１のうちの一方に、スライド体２９を戸先側被ガイド部材１１に連動させる吸引部としての磁石を設け、他方に被吸引部としての磁石または強磁性体を設けた構成としている。例えば、スライド体２９を鉄板等の強磁性体から形成されたものとし、戸先側被ガイド部材１１の転動体１３やランナー本体１２等の適所に磁石を埋込状に設けたような構成等としてもよい。なお、スライド体２９を戸先側被ガイド部材１１の移動に連動させる態様としては、このような磁力を用いた態様に代えて、適宜のラッチ機構等を用いた態様等としてもよく、その他、種々の構成とされたものの採用が可能である。
また、下段レール部２１には、スライド体２９をスライド自在に保持するスライド保持部材２７，２８が設けられている。本実施形態では、スライド保持部材２７，２８を、互いにスライド自在に結合されてスライドレールを構成する固定側部材２７と可動側部材２８とを備えた構成としている。
【００３５】
固定側部材２７は、下段レール部２１に対して固定的に設けられている。可動側部材２８は、固定側部材２７に対して溝長手方向にスライド自在に設けられている。また、この可動側部材２８に、スライド体２９が固定的に設けられている。なお、スライド体２９をスライド自在に保持するスライド保持部材２７，２８としては、このような構成とされたものに限られず、その他、種々の構成とされたものの採用が可能である。
また、上記のような構成とされた上レール２０は、天井側の適宜の固定対象にねじ等の固着具や適宜の固定具を介して固定されるもでもよい。また、上レール２０の固定対象としては、開口枠を構成する上枠でもよく、天井パネルや天井下地でもよい。
また、上レール２０の適所に、引戸パネル１０を全開位置及び閉鎖位置に規制する適宜のキャッチ機構や、引戸パネル１０を閉鎖側に助勢する助勢機構、全開側や閉鎖側に移動する引戸パネル１０を減速させる緩衝機構等を設けた構成としてもよい。
【００３６】
上記のような構成とされた引戸装置１においては、図１（ａ）及び図５（ａ）、（ｂ）に示すように、引戸パネル１０は、出入口６を開放させた全開位置では、壁体３の壁面３ａの手前側に位置するように配される。図例では、引戸パネル１０の戸先側端面が戸幅方向で出入口６内に位置しないように配される構成とした例を示している。つまり、全開位置においていわゆる引き残しが形成されない構成とした例を示しているが、引き残しが形成される構成としてもよい。
全開位置とされた引戸パネル１０を閉鎖側に移動させれば、図１（ｂ）及び図６（ａ）に示すように、戸先側被ガイド部材１１のランナー本体１２が下段レール部２１の直線部２２に沿ってガイドされる。また、戸尻側被ガイド部材１５のランナー本体１６が上段レール部３１の直線部３２に沿ってガイドされる。このように閉鎖側（戸先側）に移動する戸先側被ガイド部材１１のランナー本体１２がスライド体２９の箇所に至れば、ランナー本体１２と連動するようにスライド体２９が戸先側に向けて移動する。これにより、戸尻側被ガイド部材１５の支持部１５ａを通過させる側壁部２５及び案内片部２６の開口２５ａ，２６ｂが開放される。
【００３７】
そして、更に引戸パネル１０を閉鎖側に移動させ、各ランナー本体１２，１６が直線部２２，３２と斜行部２３，３３とのコーナー部を介して斜行部２３，３３に至れば、引戸パネル１０が戸厚方向斜め後方側となる出入口６側に向けて移動する。この際、戸尻側被ガイド部材１５の支持部１５ａは、開口２５ａ，２６ｂ，３６ａを通過し、斜行部３３に向けて移動する。また、この際、上記のように、コーナー部の案内片部２６，２６，３６，３６間を移動する被ガイドローラー１４，１４，１８，１８によって各ランナー本体１２，１６の方向転換が円滑になされる。なお、このような被ガイドローラー１４，１４，１８，１８を設けずに、両側の側壁部２５，２５，３５，３５による規制によって各ランナー本体１２，１６の方向転換がなされる構成としてもよい。
【００３８】
そして、各ランナー本体１２，１６が斜行部２３，３３の先端部に至れば、図１（ｃ）及び図６（ｂ）に示すように、引戸パネル１０が閉鎖位置となる。本実施形態では、閉鎖位置において引戸パネル１０の手前側に向く面と壁面３ａとが概ね同一平面状となる構成としている。図例では、閉鎖位置の引戸パネル１０の手前側に向く面が壁面３ａよりも僅かに手前側に位置する構成とした例を示しているが、このような態様に限られない。
閉鎖位置とされた引戸パネル１０を開放側に移動させれば、上記とは概ね逆、つまり、各ランナー本体１２，１６が斜行部２３，３３及びコーナー部を経て直線部２２，３２に至る。また、開放側（戸尻側）に移動する戸先側被ガイド部材１１のランナー本体１２がスライド体２９の箇所に至れば、ランナー本体１２と連動するようにスライド体２９が戸尻側に向けて移動する。これにより、案内片部２６の開口２６ｂが閉鎖され、戸先側被ガイド部材１１の壁面３ａ側の転動体１３がスライド体２９の下片部２９ｂ上を走行可能となる。つまり、スライド体２９の下片部２９ｂ上を戸先側被ガイド部材１１の壁面３ａ側の転動体１３が走行し、案内片部２６の開口２６ｂの通過が可能となる。
【００３９】
なお、本実施形態では、戸先側被ガイド部材１１の移動に連動してスライド体２９がスライドされる態様とした例を示しているが、このような態様に代えて、スライド体２９を手動操作によってスライドさせる態様等としてもよい。さらには、このようなスライド体２９を設けていない構成としてもよい。この場合は、案内片部２６の開口２６ｂの溝長手方向に沿う寸法を、少なくとも支持部１５ａの通過が可能なように小とし、この開口２６ｂを跨ぐように戸先側被ガイド部材１１の壁面３ａ側の転動体１３が走行する構成等としてもよい。
また、本実施形態では、戸先側被ガイド部材１１及び戸尻側被ガイド部材１５に、下段レール部２１及び上段レール部３１の案内片部２６，３６上を走行する転動体１３，１７を設けた例を示しているが、このような態様に限られない。例えば、このような転動体１３，１７を設けずに、下段レール部２１及び上段レール部３１の側壁部２５，３５に規制、ガイドされるブロック状の被ガイド部を設けた構成等としてもよい。この場合は、引戸パネル１０の下端部に、上記と概ね同様な直線部や斜行部を有した下レールを走行する戸車やキャスター等の転動体を設け、下荷重型としてもよい。
【００４０】
また、本実施形態では、戸先側被ガイド部材１１及び戸尻側被ガイド部材１５を、引戸パネル１０の上端面から上方側に向けて突出するように設けた構成とした例を示しているが、このような態様に限られない。例えば、戸先側被ガイド部材１１及び戸尻側被ガイド部材１５を、引戸パネル１０の戸厚方向一方側に付設状に設けた構成等としてもよい。
また、本実施形態では、下段レール部２１の直線部２２を、上段レール部３１の直線部３２の全長に亘ってその下方側に位置するように設けた構成とした例を示しているが、このような態様に限られない。例えば、下段レール部２１の直線部２２の戸尻側部位と上段レール部３１の直線部３２の戸先側部位とのみを上下に積み重ねた構成等としてもよい。本実施形態に係る引戸装置１が備える各部材の具体的構成としては、上記した構成に限られず、その他、種々の変形が可能である。
【符号の説明】
【００４１】
１      引戸装置
１０    引戸パネル
１１    戸先側被ガイド部材
１２    ランナー本体（被ガイド部）
１３    転動体
１５    戸尻側被ガイド部材
１５ａ  支持部
１６    ランナー本体（被ガイド部）
１７    転動体
２１    下段レール部
２２    直線部
２３    斜行部
２４    ガイド溝
２５    側壁部
２５ａ  開口
２６    案内片部
２６ｂ  開口
２９    スライド体
３１    上段レール部
３２    直線部
３３    斜行部
３４    ガイド溝
３５    側壁部
３６    案内片部
３ａ    壁面
６      出入口
【図１】
2020105831.tif 000003
【図２】
2020105831.tif 000004
【図３】
2020105831.tif 000005
【図４】
2020105831.tif 000006
【図５】
2020105831.tif 000007
【図６】
2020105831.tif 000008